(57)【要約】【課題】メッセージを見たユーザがメンテナンス処理を実行させるためには、例えば操作メニューの階層をたどってメンテナンス処理を実行させたり、本体やリモートコントローラ等に備え付けられたメンテナンス処理を実行させるキーを押下する等の手間を掛けて、メンテナンス処理を実行しなければならなかった。【解決手段】受信手段によって放送信号を受信する。記録手段によって前記受信された放送信号を記録する。第１の判断手段によって前記記録手段による記録の稼動時間が第１の所定期間稼動したかを判断する。前記第１の判断手段によって前記第１の所定期間稼動した場合に、通知出力手段によってシステムのメンテナンスを促す通知であってシステムのメンテナンスを実行するＧＵＩキーを備えた通知を出力する。システムメンテナンス実行手段によって前記システムのメンテナンスを実行するＧＵＩキーの操作に応じてシステムのメンテナンスを実行する。【選択図】  図３
2012065288.tif 000002
【特許請求の範囲】
【請求項１】
放送信号を受信する受信手段と、
前記受信された放送信号を記録する記録手段と、
前記記録手段による記録の稼動時間が第１の所定期間稼動したかを判断する第１の判断手段と、
前記第１の判断手段によって前記第１の所定期間稼動した場合に、システムのメンテナンスを促す通知であってシステムのメンテナンスを実行するＧＵＩキーを備えた通知を出力する通知出力手段と、
前記システムのメンテナンスを実行するＧＵＩキーの操作に応じてシステムのメンテナンスを実行するシステムメンテナンス実行手段とを備えたことを特徴とする放送記録装置。
【請求項２】
前記記録手段は、前記放送信号を連続したループ録画として記録することを特徴とする請求項１記載の放送記録装置。
【請求項３】
前記システムメンテナンス実行手段は、システムのメンテナンスとして、メタ情報データベースの再構築処理またはシステムのソフトウェアのアップデート処理を実行することを特徴とする請求項１乃至２のいずれか１項記載の放送記録装置。
【請求項４】
前記システムのメンテナンスを実行するＧＵＩキーの操作がシステムのメンテナンスを実行しない操作であった場合に、この後前記記録手段による記録の稼動時間が第２の所定期間稼動したかを判断する第２の判断手段と、
前記第２の判断手段によって前記第２の所定期間稼動した場合に、前記通知出力手段に改めてシステムのメンテナンスを促す通知であってシステムのメンテナンスを実行するＧＵＩキーを備えた通知を出力させる制御手段とを備えたことを特徴とする請求項１乃至３のいずれか１項記載の放送記録装置。
【請求項５】
前記第２の所定期間は、前記第１の所定時間よりも短いことを特徴とする請求項４記載の放送記録装置。
【請求項６】
受信手段によって放送信号を受信し、
記録手段によって前記受信された放送信号を記録し、
第１の判断手段によって前記記録手段による記録の稼動時間が第１の所定期間稼動したかを判断し、
前記第１の判断手段によって前記第１の所定期間稼動した場合に、通知出力手段によってシステムのメンテナンスを促す通知であってシステムのメンテナンスを実行するＧＵＩキーを備えた通知を出力し、
システムメンテナンス実行手段によって前記システムのメンテナンスを実行するＧＵＩキーの操作に応じてシステムのメンテナンスを実行する放送記録方法。
【発明の詳細な説明】
【技術分野】
【０００１】
この発明は、放送を受信して記録／再生を行う放送記録装置に関する。
【背景技術】
【０００２】
地域において放送されている全チャンネルの番組を２４時間連続して録画する技術が知られている（例えば、特許文献１参照）。このような放送記録装置では、特定のチャンネルをループ録画する機能を応用して、毎日２４時間連続して放送波をストレージに記録し続ける。この機能により、ユーザが意識的に番組を指定して録画予約を行わなくても自動的に録画が行われるため、予約を忘れていた場合や、放送後に話題に上った番組についても、過去に遡って番組を視聴・保存することができる。
【０００３】
ところが、毎日２４時間連続してストレージへの記録処理が動作しているため、この記録処理と排他して実行しなければならないシステムのメンテナンス処理、例えば録画した番組に関するメタ情報の再構築処理や、ソフトウェアのアップデート処理などを実行することが出来ない。このため、長期間稼動し続けるとシステムが不安定になったり、アップデートによる不具合修正が適用されないといった問題が生じる。
【０００４】
従来、放送を受信して記録・再生を行う記録再生装置では、使用状態の累計時間が所定の設定値を超えた場合、メンテナンスを促すメッセージを表示する技術が知られている（例えば、特許文献２参照）。
【先行技術文献】
【特許文献】
【０００５】
【特許文献１】特開２００３−１０１９１３号公報
【特許文献２】特開２００８−１４６７６８号公報（段落番号［０００８］、図１）
【発明の概要】
【発明が解決しようとする課題】
【０００６】
しかし、メッセージを見たユーザがメンテナンス処理を実行させるためには、例えば操作メニューの階層をたどってメンテナンス処理を実行させたり、本体やリモートコントローラ等に備え付けられたメンテナンス処理を実行させるキーを押下する等の手間を掛けて、メンテナンス処理を実行しなければならないという問題があった。
【０００７】
この発明は、このような手間を掛けることなしにメンテナンス処理を実行できる放送記録装置を提供することを目的とする。
【課題を解決するための手段】
【０００８】
上記の目的を達成するために、この実施形態においては、放送信号を受信する受信手段と、前記受信された放送信号を記録する記録手段と、前記記録手段による記録の稼動時間が第１の所定期間稼動したかを判断する第１の判断手段と、前記第１の判断手段によって前記第１の所定期間稼動した場合に、システムのメンテナンスを促す通知であってシステムのメンテナンスを実行するＧＵＩキーを備えた通知を出力する通知出力手段と、前記システムのメンテナンスを実行するＧＵＩキーの操作に応じてシステムのメンテナンスを実行するシステムメンテナンス実行手段とを備えたことを特徴とする放送記録装置を提供する。
【０００９】
また、上記の目的を達成するために、この実施形態においては、受信手段によって放送信号を受信し、記録手段によって前記受信された放送信号を記録し、第１の判断手段によって前記記録手段による記録の稼動時間が第１の所定期間稼動したかを判断し、前記第１の判断手段によって前記第１の所定期間稼動した場合に、通知出力手段によってシステムのメンテナンスを促す通知であってシステムのメンテナンスを実行するＧＵＩキーを備えた通知を出力し、システムメンテナンス実行手段によって前記システムのメンテナンスを実行するＧＵＩキーの操作に応じてシステムのメンテナンスを実行する放送記録方法を提供する。
【００１０】
また、装置または方法は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【図面の簡単な説明】
【００１１】
【図１】デジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】制御部２６１が有しているシステムのメンテナンス処理を実行するタイミングを監視する動作を説明するためのフローチャート。
【図４】システムのメンテナンス処理の実行を促す表示画面の一例を示す図。
【図５】制御部２６１が有しているシステムのメンテナンス処理を実行するタイミングを監視する動作を説明するためのフローチャート。
【図６】システムのメンテナンス処理の実行を促す表示画面の一例を示す図。
【発明を実施するための形態】
【００１２】
以下、図面を参照しながら実施形態について説明する。
（実施形態１）
図１は、この実施形態１のデジタルテレビジョン放送受信装置１１１の外観と、このデジタルテレビジョン放送受信装置１１１を中心として構成されるネットワークシステムの一例を概略的に示している。
【００１３】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受信部１１８等が設置されている。
【００１４】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１５】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１６】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１７】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１８】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１９】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００２０】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２１】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２２】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２３】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２４】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２５】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２６】
次に、図２を用いて、上記したテレビジョン放送受信装置１１１の機能について説明する。
図２は、本実施の形態におけるテレビジョン放送受信装置１１１の機能ブロック図である。
テレビジョン放送受信装置１１１は、アンテナ２４３と、入力端子２４４と、第１のチューナ２４５ａと、第１の復調器２４５ｂと、チューナ２５０ａと、復調器２５０ｂと、他の図２では省略記号で示したチューナおよび復調器との組合せと、ＴＳ（Transport Stream）処理部２４６と、信号処理部２４７と、グラフィック処理部２５４と、ＯＳＤ（On Screen Display）信号生成部２５７と、音声処理部２５５と、スピーカ１１５と、映像処理部２５８と、映像表示器１１４と、制御部２６１と、時計２８０と、ＨＤＤ（Hard Disk Drive）２８１と、操作部１１６と、受信部１１８と、第１のカードＩ／Ｆ（Interface）２６５と、第１のカードホルダ２６６と、第２のカードＩ／Ｆ２６７と、第２のカードホルダ２６８と、明るさセンサ２７３と、通信Ｉ／Ｆ２６９と、通信Ｉ／Ｆ２７０と、ＵＳＢ  Ｉ／Ｆ２７１と、ｉ．ＬＩＮＫ  Ｉ／Ｆ２７２と、第１のＬＡＮ端子１２１と、第２のＬＡＮ端子１２２と、ＵＳＢ端子１２３と、ｉ．ＬＩＮＫ端子１２４とを備える。
【００２７】
制御部２６１は、テレビジョン放送受信装置１１１の装置各部の動作を制御する。制御部２６１は、ＲＯＭ２６１ａと、ＲＡＭ２６１ｂと、不揮発性メモリ２６１ｃと、表示制御機能２６１ｄと、ＣＰＵ（Central Processing Unit）とを備える。また、制御部２６１は、ＲＯＭ（Read Only Memory）２６１ａと、ＲＡＭ（Random Access Memory）２６１ｂと、不揮発性メモリ２６１ｃを備え、表示制御機能２６１ｄを有している。
【００２８】
ＲＯＭ２６１ａは、ＣＰＵが実行するシステム制御プログラム及び各種処理プログラムを格納するメモリである。ＲＡＭ２６１ｂは、ＣＰＵが各種プログラムを展開するための、いわゆるワーキングメモリである。不揮発性メモリ２６１ｃは、各部の動作制御に必要な各種の設定情報及び制御情報等を格納する。本実施の形態において、設定情報とは例えば初期スキャンにより設定されるテレビジョン放送受信装置１１１にて受信可能なチャンネル情報や、チューナ３Ｂのそれぞれにて受信し録画を行うと設定されているチャンネル情報等がある。
【００２９】
制御部２６１は、操作部１１６から入力される操作信号や、リモートコントローラ１１７から送信され受信部１１８を介して受信される操作信号に応じて、ＲＯＭ２６１ａに予め記憶されたシステム制御プログラム及び各種処理プログラムを起動させる。制御部２６１は、起動したプログラムに従って、ＲＡＭ２６１ｂをワークメモリとして装置各部の動作を制御する。
【００３０】
制御部２６１は、信号処理部２４７から出力された複数チャンネルが多重されているＴＳをチャンネルごとのＴＳに戻し、内蔵ＨＤＤ２８１に記憶する。また、制御部２６１は、録画したデータの再生する制御を実行し、内蔵ＨＤＤ２８１に格納した放送番組等のデータを読み出して、映像表示器１１４に表示させたり、スピーカ１１５から音声出力させたりすることができる。
【００３１】
ＬＡＮ対応ＨＤＤ専用ポートとしてのＬＡＮ端子１２１を設けることにより、他のネットワーク環境やネットワーク使用状況等に影響されることなく、ＨＤＤ１２５に対してハイビジョン画質による番組の情報記録を安定して行うことが可能となる。
【００３２】
なお、実施形態としてはテレビジョン放送受信装置１１１で説明するが、セットトップボックスであっても実施することはできる。セットトップボックスの場合には、映像信号は外部モニターへ出力され表示される。
【００３３】
アンテナ２４３は、放送形式として地上波デジタル放送、ＢＳデジタル放送及びＣＳデジタル放送等を受信することができるように構成された１つまたは複数のアンテナである。
【００３４】
入力端子２４４は、アンテナ２４３から受信した放送信号を複数のチューナ（第１のチューナ２４５ａ、第２のチューナ２５０ａ、・・・第ｎのチューナ）に入力する。
【００３５】
第１のチューナ２４５ａは、制御部２６１からの制御信号により所望のチャンネルの放送信号を選局し、この選局された放送信号を第１の復調器２４５ｂに出力する。
【００３６】
第１の復調器２４５ｂは、地上デジタル放送受信時にはＯＦＤＭ（Orthogonal Frequency Division Multiplexing）復調、ＢＳデジタル放送及びＣＳデジタル放送受信時にはＰＳＫ（Phase Shift Keying）復調し、所望の番組を含んだトランスポートストリームを得てＴＳ処理部２４６に入力する。
【００３７】
第２のチューナ２５０ａは、制御部２６１からの制御信号により所望のチャンネルの放送信号を選局し、この選局された放送信号を第２の復調器２５０ｂに出力する。
【００３８】
第２の復調器２５０ｂは、地上デジタル放送受信時にはＯＦＤＭ（Orthogonal Frequency Division Multiplexing）復調、ＢＳデジタル放送及びＣＳデジタル放送受信時にはＰＳＫ（Phase Shift Keying）復調し、所望の番組を含んだトランスポートストリームを得てＴＳ処理部２４６に入力する。
【００３９】
チューナと復調器の組数としてはｎ＝１１であり、上記した第１〜第２のチューナと復調器の組の他に、第３〜第１１のチューナと復調器との組を有している。以下、これらチューナと復調器との１１つの組を、チューナ群２４と記す。
この１１個のチューナと復調器との組の用途は次の通りである。
第１〜第８のチューナと復調器との８つの組は、ループ録画用に設けられている。このループ録画の記録先は内蔵ＨＤＤ２８１である。このためテレビジョン放送受信装置１１１は、ユーザにループ録画用に指定されたチャンネルについて同時に受信した８チャンネル分のＴＳを内蔵ＨＤＤ２８１にループ記録することができる。
【００４０】
この実施形態１においては、内蔵ＨＤＤ２８１は、８チャンネル分の８つのＴＳを２４時間、一週間分記録できるだけの容量を有している。また、内蔵ＨＤＤ２８１は、８つのパーティションを有している。制御部２６１は、１ＴＳを１パーティションに割り当てることにより、８チャンネル分の８つのＴＳを内蔵ＨＤＤ２８１に記録する。
制御部２６１は、内蔵ＨＤＤ２８１の各８つのパーティション毎に、空き容量が無くなったときには一番古いデータを上書きしていくようにＴＳをループ録画（記録）する。即ち、制御部２６１は内蔵ＨＤＤ２８１にＴＳをループ録画する。
制御部２６１は、テレビジョン放送を内蔵ＨＤＤ２８１に記録するときには８チャンネル分のＴＳをＴＳ処理部２４６から内蔵ＨＤＤ２８１へ出力し、８チャンネル分の８つのＴＳをそれぞれのパーティションに上書き記録する。
制御部２６１は、記録処理と排他して実行しなければならないシステムのメンテナンス処理、例えば録画した番組に関するメタ情報の再構築処理や、ソフトウェアのアップデート処理などを実行することが出来ない。このため、長期間稼動し続けるとシステムが不安定になったり、アップデートによる不具合修正が適用されないといった問題が生じる。
【００４１】
第９のチューナと復調器との１つの組はリアルタムの視聴用に設けられている。このようにリアルタイムで視聴する際にはループ録画に使用している第１〜第８のチューナと復調器との組とは別の、視聴専用に設けられ第９のチューナと復調器を使用している。これは、ループ録画で設定している８チャンネル以外のＴＳを選局・視聴出来るようにするためである。
制御部２６１は、テレビジョン放送をリアルタイムで視聴するときには、第９のチューナと復調器から得られたユーザが視聴する所望のＴＳを信号処理部２４７へ出力する。
【００４２】
第１０および第１１のチューナと復調器との２つの組は、ループ録画とは別に、ユーザにループ録画用とは別に個別録画用に指定された録画予約された個々の番組のＴＳを録画するために設けられている。この録画の記録先は、内蔵ＨＤＤ２８１以外の記録先、例えばネットワーク接続されたＨＤＤ１３９である。裏録画用（個別録画用）に２つのチューナと復調器との組を有しているので、視聴およびループ録画とは別に、裏番組として２チャンネルのＴＳを選局・録画することができる。
【００４３】
制御部２６１は、一旦内蔵ＨＤＤ２８１に記録したテレビジョン放送を再生するときには、最大８チャンネル分のＴＳを内蔵ＨＤＤ２８１から再生し、所望のＴＳを信号処理部２４７へ出力する。
【００４４】
また、制御部２６１は、本実施形態に係る機能部として、表示制御機能２６１ｄを備えている。制御部２６１は、この表示制御機能２６１ｄにより、後述するメッセージ表示処理に関する制御を行う。
【００４５】
信号処理部２４７は、ＴＳ処理部２４６または制御部２６１の制御により内蔵ＨＤＤ２８１から入力されたＴＳを、所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００４６】
信号処理部２４７の上記した所定のデジタル信号処理としては、例えば、ＰＥＳを放送局側での圧縮方式に合わせた、例えばＭＰＥＧ２デコードする処理等である。
制御部２６１には、信号処理部２４７から、番組を取得するための各種データや電子番組ガイド（Electronic Program Guide）情報，番組属性情報（番組ジャンル等），字幕情報等（サービス情報、ＳＩやＰＳＩ）が入力されている。
【００４７】
制御部２６１は、これら入力された情報からＥＰＧ，字幕を表示するため画像生成処理を行い、この生成した画像情報をグラフィック処理部２５４へ出力する。
グラフィック処理部２５４は、信号処理部２４７から出力されるデジタルのデータ信号及び映像信号のデコード処理を行う。デコードされたデータ信号及び映像信号は、ＯＳＤ信号生成部２５７から出力されたＯＳＤ信号と重ね合わせて合成され、映像処理部２５８に出力される。グラフィック処理部２５４は、デコードされたデータ信号、映像信号又はＯＳＤ信号を、映像処理部２５８に選択的に出力することもできる。
【００４８】
ＯＳＤ信号生成部２５７は、制御部２６１の制御に従って、ＵＩ（ユーザ・インタフェース）画面などを表示するためのＯＳＤ信号を生成する。また上述の信号処理部２４７において、デジタル放送信号から分離されたデータ信号は、ＯＳＤ信号生成部２５７により適切なフォーマットのＯＳＤ信号に変換され、グラフィック処理部２５４に出力される。
【００４９】
音声処理部２５５は、入力された音声信号を、スピーカ１１５で再生可能なフォーマットのアナログ音声信号に変換する。アナログに変換された音声信号は、スピーカ１１５に出力されて再生される。
【００５０】
映像処理部２５８は、グラフィック処理部２５４から出力された信号を、映像表示器１１４で表示可能なフォーマットのアナログ映像信号に変換する。アナログに変換された映像信号は、映像表示器１１４に出力される。
【００５１】
時計２８０は、時間を計時する機能を有しており、年月日および時間情報を制御部２６１へ出力する。
操作部１１６は、ユーザによる操作に応じた操作信号を受け付け、制御部２６１に入力する。操作部１１６は、例えばテレビジョン放送受信装置１１１のキャビネット１１０に備えられる。
【００５２】
受信部１１８は、ユーザによるリモートコントローラ１１７の操作に応じた操作信号を受け付け、制御部２６１に入力する。
第１のカードホルダ２６６は、第１のカードＩ／Ｆ２６５を介して制御部２６１に接続されている。第１のメモリカード１１９は、この第１のカードＩ／Ｆ２６５に装着可能である。第１のメモリカード１１９は、例えばＳＤ（Secure Digital）メモリカード、ＭＭＣ（Multimedia Card）及びＣＦ（Compactflash（登録商標））カード等の記憶媒体である。第１のカードホルダ２６６に装着された第１のメモリカード１１９、及び制御部２６１は、第１のカードＩ／Ｆ２６５を介して情報の伝達を行うことができる。制御部２６１は、第１のメモリカード１１９に、画像や音楽、放送番組等のデータを格納することができる。また制御部２６１は、第１のメモリカード１１９に格納された画像や音楽、放送番組等のデータを読み出して、映像表示器１１４に表示させたり、スピーカ１１５から音声出力させたりすることができる。
【００５３】
第２のカードホルダ２６８は、第２のカードＩ／Ｆ２６７を介して制御部２６１に接続されている。第２のメモリカード１２０は、この第２のカードＩ／Ｆ２６７に装着可能である。第２のメモリカード１２０は、例えば放送受信契約の契約情報等を記憶する記憶媒体である。第２のカードホルダ２６８に装着された第２のメモリカード１２０、及び制御部２６１は、第１のカードＩ／Ｆ２６５を介して情報の伝達を行うことができる。
【００５４】
明るさセンサ２７３は、キャビネット１１０外の明るさを検出し、この検出結果を制御部２６１に入力する。制御部２６１は、入力された明るさに関する検出結果に基づいて、映像表示器１１４の輝度を制御する。
【００５５】
また、上記制御部２６１は、通信Ｉ／Ｆ２６９を介して第１のＬＡＮ（Local Area Network）端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００５６】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００５７】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００５８】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００５９】
制御部２６１は、システムのメンテナンス処理、例えば録画した番組に関するメタ情報の再構築処理や、ソフトウェアのアップデート処理などを実行する機能を有している。
【００６０】
図３は、この制御部２６１が有しているシステムのメンテナンス処理を実行するタイミングを監視する動作を説明するためのフローチャートである。
ステップＳ３００：  制御部２６１は、前回テレビジョン放送受信装置１１１の電源をＯＦＦしたときの連続稼動時間を不揮発性メモリ２６１ｃから読み出す。
ステップＳ３０１：  制御部２６１は、８チャンネル分の８つのＴＳを内蔵ＨＤＤ２８１に記録（ループ録画）開始する。
ステップＳ３０２：  制御部２６１は、次回の監視時刻を設定する。この監視時刻とは、連続稼動時間が第１の所定時間（１週間）を過ぎたかどうかを判断するための時刻である。この実施形態では、例えば次回の監視時刻として現在時刻から１時間後の時刻を設定する。ここで１時間としているのは、この後のステップＳ３０４にて不揮発性メモリ（ＮＶＲＡＭ）へ書き込むのに、毎秒では負荷（書込回数の消耗）が大きく、かといって１週間後では長過ぎるので、１時間としている。
【００６１】
ステップＳ３０３：  制御部２６１は、時計２８０から得た時間情報を用いて、ステップＳ３０３で設定した監視時刻になるまでループ録画を継続する。
ステップＳ３０４：  制御部２６１は、時計２８０から得た時間情報を用いて連続稼動時間を更新して、不揮発性メモリ２６１ｃに記憶させる。ここで、不揮発メモリ上に連続稼動時間を記録しているのは、システム稼働中にメンテナンス処理が未実行のまま電源が切断された場合、次回起動時にメンテナンス未実行の稼動時間を引き継ぐためである。
【００６２】
ステップＳ３０５：  制御部２６１は、ステップＳ３０４で得た連続稼動時間が第１の所定期間を上回ったかを判断する。なお、連続稼動時間が第１の所定期間を上回ったかとは、システムメンテナンス用の稼動時間を上回ったかという判断である。制御部２６１は、もし、連続稼動時間が第１の所定期間を上回った場合にはステップＳ３０６へ移る。制御部２６１は、逆に上回っていない場合には、ステップＳ３０２へ移り、連続稼動時間が第１の所定期間を上回るまでステップＳ３０２〜Ｓ３０５のループ処理を繰り返す。
【００６３】
ステップＳ３０６：  制御部２６１は、図４に示すシステムのメンテナンスの実行を促す通知（メッセージ）を映像表示器１１４に表示させる。図４は、システムのメンテナンス処理の実行を促す表示画面の一例を示す図である。この図４に示す通知（メッセージ）中には、「はい」、「いいえ」のＧＵＩキーも同時にＧＵＩ表示され、デフォルトでは「はい」のＧＵＩキーにフォーカスが当てられている状態で表示される。このデフォルトで「はい」にフォーカスが当てられているのは、リモートコントローラ１１７の決定キーの押下だけで、システムのメンテナンスを実行できるようにするためである。ユーザが、リモートコントローラ１１７の上キー，下キー，左キー，右キーを押下する操作によって「はい」、「いいえ」のＧＵＩキーに当たっているフォーカスを所望のＧＵＩキーに変え、リモートコントローラ１１７の決定キーの押下により、「はい」または「いいえ」のいずれかが最終的に選択される。
【００６４】
なお、本明細書中、ＧＵＩキーとは、ＧＵＩボタンやＧＵＩスイッチ等のコマンドを指定できるものであれば全てカバーするものである。
ステップＳ３０７：  制御部２６１は、図４の通知（メッセージ）に対して、例えばユーザによるリモートコントローラ１１７の決定キーを押下する操作により、「はい」が選択されたか判断する。制御部２６１は、もし、「はい」が選択された場合には、ステップＳ３０８へ移る。制御部２６１は、逆に、「はい」が選択されなかった（「いいえ」が選択された）場合には、ステップＳ３１１へ移る。
【００６５】
ステップＳ３０８：  制御部２６１は、ループ録画を含む実行中の処理を停止する。システムのメンテナンス処理は、毎日２４時間連続してストレージへの記録処理とは排他で実行する必要があるため、ステップＳ３０９でのシステムのメンテナンス処理に先立ってループ録画処理を停止している。例えば、ループ録画中に番組が切り替わるとメタ情報の更新処理を実行する必要があるが、メタ情報データベースの再構築中にはメタ情報の更新処理を実行できない。メタ情報の不整合を避けるためには、ループ録画実行中はメタ情報データベースの再構築処理を排他する必要がある。また、システムのソフトウェアをアップデートするためには、不揮発メモリ２６１ｃに記憶しているシステムのソフトウェアを書き換えた上でシステムをリブートする必要があるが、このときループ録画を同時に実行し続けることは出来ない。
【００６６】
ステップＳ３０９：  制御部２６１は、システムのメンテナンス処理を実行する。システムのメンテナンス処理は、例えば録画した番組に関するメタ情報の再構築処理や、ソフトウェアのアップデート処理などである。
【００６７】
ステップＳ３１０：  制御部２６１は、ステップＳ３０９にてシステムのメンテナンスが実行された後、連続稼動時間を初期化して不揮発性メモリ２６１ｃに記憶させる。
【００６８】
ステップＳ３１１：  制御部２６１は、ループ録画を継続する。
なお、システムのメンテナンスについては、テレビジョン放送受信装置１１１で、例えば周知のＧＵＩメニュー選択技術を用い、「トップメニュー」→「システム」→「システムのメンテナンス」というようにＧＵＩによる階層化されたメニューを辿っていき、システムのメンテナンスを従来同様、任意のタイミングで実行できるようになっている。
【００６９】
以上説明した通りこの実施形態によれば、最後にメンテナンス処理が実行されてからのシステムの稼動時間を監視し、第１の所定期間（たとえば１週間）メンテナンス処理が実行されていなければ、ユーザにシステムのメンテナンスの実行を促す通知（メッセージ）を映像表示器１１４に表示させることにより通知して、システムのメンテナンス処理を実行するよう促す。そしてユーザが映像表示器１１４に表示されたシステムのメンテナンスの実行を促す通知（メッセージ）に対して、リモートコントローラ１１７の例えば決定キーを押下するだけでシステムのメンテナンスを実行させることができる。
【００７０】
ループ録画が２４時間連続動作しているために、長期間メンテナンス処理が実行されていない場合に、ユーザにその旨を通知して実行を促すことで、ユーザの同意の下にループ録画を停止してメンテナンス処理を実行することができる。
【００７１】
また、メンテナンス処理が実行されていない期間を監視することにより、システムが不安定になる前にメンテナンス処理を促すことが出来る。これによりシステムが不安定になった場合の不慮の事故（データが失われるなど）を未然に防ぐことが出来る。
【００７２】
（実施形態２）
この実施形態２は、実施形態１の変形例であり、図１および図２については実施形態１と同じであるため詳細な説明は省略する。
図５は、制御部２６１が有しているシステムのメンテナンス処理を実行するタイミングを監視する動作を説明するためのフローチャートである。
この図５は、図３と比較してステップＳ３０７以降が追加されている点が異なる。図３と同じ処理については説明を省略し、異なる点についてのみ説明する。
ステップＳ３１１：  制御部２６１は、ループ録画を継続しつつ、ステップＳ５０１の処理へ移る。
ステップＳ５０１：  制御部２６１は、ステップＳ３０７にて「はい」を選択しなかった後、第２の所定期間（例えば１日）を上回ったか判断する。この第２の所定期間は、第１の所定期間（例えば１週間）と比較してずっと短い時間となっている。これは再度第１の所定期間待ってからシステムのメンテナンスの実行を促す通知（メッセージ）を映像表示器１１４に表示させていては、システムがより不安定になってしまうからである。
【００７３】
ステップＳ５０２：  制御部２６１は、図６に示すシステムのメンテナンスの実行を促す通知（メッセージ）を映像表示器１１４に表示させる。図６は、システムのメンテナンス処理の実行を促す表示画面の一例を示す図である。実施形態１で用いた図４と比較して、映像表示器１１４の画面上部に、“前回、システムのメンテナンスの実行が選択されませんでした。”との表示が加わった点が異なっている。ユーザはこの加わった表示から、前回のステップＳ３０６による通知（メッセージ）に対して、システムのメンテナンスを実行していないことを知ることができる。この図６に示す通知（メッセージ）中には、「はい」、「いいえ」のＧＵＩキーも同時にＧＵＩ表示され、デフォルトでは「はい」のＧＵＩキーにフォーカスが当てられている状態で表示される。このデフォルトで「はい」にフォーカスが当てられているのは、リモートコントローラ１１７の決定キーの押下だけで、システムのメンテナンスを実行できるようにするためである。ユーザが、リモートコントローラ１１７の上キー，下キー，左キー，右キーを押下する操作によって「はい」、「いいえ」のＧＵＩキーに当たっているフォーカスを所望のＧＵＩキーに変え、リモートコントローラ１１７の決定キーの押下により、「はい」または「いいえ」のいずれかが最終的に選択される。
【００７４】
これにより、再度連続稼動時間が第１の所定期間（例えば１週間）経過する前に、ユーザはシステムのメンテナンスの実行を促す通知（メッセージ）による、システムのメンテナンスを実行する機会を得ることができる。
【００７５】
ステップＳ５０３：  制御部２６１は、図６の通知（メッセージ）に対して、例えばユーザによるリモートコントローラ１１７の決定キーを押下する操作により、「はい」が選択されたか判断する。制御部２６１は、もし、「はい」が選択された場合には、ステップＳ３０８へ移る。制御部２６１は、逆に、「はい」が選択されなかった（「いいえ」が選択された）場合には、ステップＳ３１１へ移る。
【００７６】
以下、両実施形態の概略について説明しておく。
１つ、または複数のチューナを搭載し、指定されたチャンネルのストリームをループ録画する機能を備えた放送受信機を想定する。ループ録画を実行する時間は、毎日２４時間に設定可能で、その場合システムが起動している間は常にループ録画を実行し続ける。
【００７７】
さらに、システムの状態を安定に保つためのメンテナンス機能を有する放送受信機を考える。メンテナンス機能には、例えばループ録画しているコンテンツの情報を管理するメタ情報データベースの再構築の機能や、不揮発性メモリ２６１ｃに記憶している受信機のシステムのソフトウェアをアップデートするための機能を想定する。これらの処理の一部は、ループ録画と排他的に実行する必要がある。例えば、ループ録画中に番組が切り替わるとメタ情報の更新処理を実行する必要があるが、メタ情報データベースの再構築中にはメタ情報の更新処理を実行できない。メタ情報の不整合を避けるためには、ループ録画実行中はメタ情報データベースの再構築処理を排他する必要がある。また、システムのソフトウェアをアップデートするためには、不揮発メモリ２６１ｃに記憶しているシステムのソフトウェアを書き換えた上でシステムをリブートする必要があるが、このときループ録画を同時に実行し続けることは出来ない。
【００７８】
ループ録画を毎日２４時間、常に実行し続ける設定にしている場合、ループ録画と排他的に実行する必要のあるメンテナンス処理は実行の機会が無い。長期にわたってメンテナンス処理が実行されずにいると、メタ情報データベースの断片化や肥大化のためにシステムが不安定になったり、ソフトウェアのアップデートが実行されないために不具合の修正がいつまでも適用されないといった問題が発生する。
【００７９】
本実施形態は、ループ録画が常時実行中のために長期間メンテナンス処理が実行されていない場合に、システムの稼動時間を監視することでそれを検出し、ユーザにメンテナンス処理の実行を促す表示を出力するものである。このときの表示例を図４に示す。また、ユーザの許可・指示を受けてループ録画を停止し、メンテナンス処理を実行するものである。
【００８０】
本実施形態の基本的な流れを以下に示す。
手順１．システム起動直後に、前回電源ＯＦＦ時点での連続稼動時間を不揮発メモリから読み出す。
手順２．ループ録画を開始する。ループ録画はユーザの設定に従って実行される。
手順３．定期的に連続稼動時間を監視するために、次回監視時刻を設定する。
手順４．監視時刻になったら、連続稼動時間が第１の所定期間を上回ったかどうか確認する。また、このときに不揮発メモリ上に記録されている連続稼動時間を更新する。
手順５．連続稼動時間が第１の所定期間に満たないあいだは、３．４．を繰り返す。
手順６．連続稼動時間が第１の所定期間を超えたときは、ユーザにメンテナンス実行を促すための通知を表示する。
手順７．この通知を受けて、ユーザがメンテナンス実行を許可した場合は、直ちにループ録画を含む実行中の処理を全て停止し、メンテナンス処理を実行する。メンテナンス処理が完了したら、連続稼動時間を初期化する。
手順８．ユーザがメンテナンス実行を拒否した場合は、そのままループ録画を継続する。
なお、本実施形態は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【符号の説明】
【００８１】
１１１…デジタルテレビジョン放送受信装置、１１２…キャビネット、１１３…支持台、１１４…映像表示器、１１５…スピーカ、１１６…操作部、１１７…リモートコントローラ、１１８…受信部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ、２８０…内蔵ＨＤＤ。
【図１】
2012065288.tif 000003
【図２】
2012065288.tif 000004
【図３】
2012065288.tif 000005
【図４】
2012065288.tif 000006
【図５】
2012065288.tif 000007
【図６】
2012065288.tif 000008